(57)【要約】【課題】有機エレクトロルミネセンスディスプレイを提供する。【解決手段】複数の走査線と、走査線と交錯して設けられる複数のデータ線と、第１チャンネル方向を有する第１チャンネル領域を含む少なくとも１つの第１ドライバトランジスタを具備し、走査線の１つ及びデータ線の１つに電気的に接続される少なくとも１つの第１画素回路と、第１チャンネル方向と異なる第２チャンネル方向を有する第２チャンネル領域を含む少なくとも１つの第２ドライバトランジスタを具備し、走査線の１つ及びデータ線の１つに電気的に接続される少なくとも１つの第２画素回路と、を備える有機エレクトロルミネセンスディスプレイ。【選択図】図２
2016040596.tif 000002
【特許請求の範囲】
【請求項１】
複数の走査線と、
前記複数の走査線と交錯して設けられる複数のデータ線と、
少なくとも１つの第１有機発光ダイオードと、第１チャンネル方向を有する第１チャンネル領域を含み、少なくとも１つの第１画素回路に電気的に接続される前記走査線と前記データ線における信号に応じて、前記少なくとも１つの第１有機発光ダイオードを駆動するための少なくとも１つの第１ドライバトランジスタとを具備し、前記複数の走査線の１つ及び前記複数のデータ線の１つに電気的に接続される少なくとも１つの第１画素回路と、
少なくとも１つの第２有機発光ダイオードと、前記第１チャンネル方向と異なる第２チャンネル方向を有する第２チャンネル領域を含み、少なくとも１つの第２画素回路に電気的に接続される前記走査線と前記データ線における信号に応じて、前記少なくとも１つの第２有機発光ダイオードを駆動するための少なくとも１つの第２ドライバトランジスタとを具備し、前記複数の走査線の１つ及び前記複数のデータ線の１つに電気的に接続される少なくとも１つの第２画素回路と、
を備える有機エレクトロルミネセンスディスプレイ。
【請求項２】
前記第１チャンネル方向は、前記第２チャンネル方向と直交する請求項１に記載の有機エレクトロルミネセンスディスプレイ。
【請求項３】
前記第１チャンネル領域と前記第２チャンネル領域は、前記第１チャンネル方向と異なったレーザ走査方向を有するエキシマレーザアニーリングプロセスによって形成される請求項１又は２に記載の有機エレクトロルミネセンスディスプレイ。
【請求項４】
前記第１チャンネル領域と前記第２チャンネル領域は、前記第１チャンネル方向と直交するレーザ走査方向を有するエキシマレーザアニーリングプロセスによって形成される請求項１又は２に記載の有機エレクトロルミネセンスディスプレイ。
【請求項５】
複数の走査線と、
前記複数の走査線と交錯して設けられる複数のデータ線と、
少なくとも１つの第１有機発光ダイオードと、第１長手方向を有する第１チャンネル領域を含み、少なくとも１つの第１画素回路に電気的に接続される前記走査線と前記データ線における信号に応じて、前記少なくとも１つの第１有機発光ダイオードを駆動するための少なくとも１つの第１ドライバトランジスタとを具備し、前記複数の走査線の１つ及び前記複数のデータ線の１つに電気的に接続される少なくとも１つの第１画素回路と、
少なくとも１つの第２有機発光ダイオードと、前記第１長手方向と交差する第２長手方向を有する第２チャンネル領域を含み、少なくとも１つの第２画素回路に電気的に接続される前記走査線と前記データ線における信号に応じて、前記少なくとも１つの第２有機発光ダイオードを駆動するための少なくとも１つの第２ドライバトランジスタとを具備し、前記複数の走査線の１つ及び前記複数のデータ線の１つに電気的に接続される少なくとも１つの第２画素回路と、
を備える有機エレクトロルミネセンスディスプレイ。
【請求項６】
前記少なくとも１つの第１ドライバトランジスタは、前記第１チャンネル領域で電気的に接続される第１ソースと第１ドレインを有し、前記第１長手方向が前記第１ソースと前記第１ドレインに跨り、
前記少なくとも１つの第２ドライバトランジスタは、前記第２チャンネル領域で電気的に接続される第２ソースと第２ドレインを有し、前記第２長手方向が前記第２ソースと前記第２ドレインに跨る請求項５に記載の有機エレクトロルミネセンスディスプレイ。
【請求項７】
前記第１長手方向は、前記第２長手方向と直交する請求項５又は６に記載の有機エレクトロルミネセンスディスプレイ。
【請求項８】
前記第１チャンネル領域と前記第２チャンネル領域は、前記第１長手方向と交差するレーザ走査方向を有するエキシマレーザアニーリングプロセスによって形成される請求項５〜７の何れか一項に記載の有機エレクトロルミネセンスディスプレイ。
【請求項９】
前記第１チャンネル領域と前記第２チャンネル領域は、前記第１長手方向と直交するレーザ走査方向を有するエキシマレーザアニーリングプロセスによって形成される請求項５〜７の何れか一項に記載の有機エレクトロルミネセンスディスプレイ。
【請求項１０】
前記少なくとも１つの第１画素回路と前記少なくとも１つの第２画素回路とは、交互配列される請求項５〜９の何れか一項に記載の有機エレクトロルミネセンスディスプレイ。
【発明の詳細な説明】
【技術分野】
【０００１】
本発明は、有機エレクトロルミネセンスディスプレイに関する。
【背景技術】
【０００２】
エレクトロルミネセンスディスプレイは、フラットパネルディスプレイであり、その表示素子が常に両層の導電体の間に挟まれたエレクトロルミネセンス層を含む。電流がエレクトロルミネセンス層を通過する場合、エレクトロルミネセンス層は、可視光を発光する。有機エレクトロルミネセンスディスプレイは、エレクトロルミネセンス層のディスプレイとして有機材料を用いる。或いは、より具体的には、有機エレクトロルミネセンスディスプレイは、表示素子のディスプレイとして有機発光ダイオードを用いる。
【０００３】
一般的には、有機エレクトロルミネセンスディスプレイの画素回路は、ドライバトランジスタによって、有機発光ダイオードを通過する電流を制御することが多く、このドライバトランジスタのチャンネル領域がエキシマレーザアニーリング（Ｅｘｃｉｍｅｒ  Ｌａｓｅｒ  Ａｎｎｅａｌｉｎｇ；ＥＬＡ）プロセスによって形成される。しかしながら、エキシマレーザアニーリングプロセスによって形成されたチャンネル領域では、結晶格子の配列不均一の現象がある。このような結晶格子の配列不均一の現象により、チャンネル領域を通過する電流に変化を生じるので、同じデータを入力しても異なった電流を発生して、輝度不均一の現象を引き起こす。一旦、このような輝度不均一の現象が周期的に又は群をなして出現すると、波形ムラと呼ばれる。このような波形ムラにより、使用者に観賞上の不快感をもたらすことがある。
【０００４】
補償回路の設計によって、このような問題を解決するために、４Ｔ１Ｃ（４個のトランジスタと１個のコンデンサ）、４Ｔ２Ｃ（４個のトランジスタと２個のコンデンサ）、５Ｔ１Ｃ（５個のトランジスタと１個のコンデンサ）、６Ｔ１Ｃ（６個のトランジスタと１個のコンデンサ）ひいては６Ｔ２Ｃ（６個のトランジスタと２個のコンデンサ）の構造を提案するメーカーもあるが、解像度の要求が高くなり、単位画素の面積が小さくなるほど、益々複雑化する画素回路を単位画素内に組み込むことは、日々、甚だ困難な挑戦になっている。
【発明の概要】
【発明が解決しようとする課題】
【０００５】
本発明の一技術的様態は、以上の先行技術で言及した結晶格子の配列不均一による波形ムラを解決するための有機エレクトロルミネセンスディスプレイを提供する。
【課題を解決するための手段】
【０００６】
本発明の一実施形態によれば、複数の走査線と、走査線と交錯して設けられる複数のデータ線と、少なくとも１つの第１有機発光ダイオードと、第１チャンネル方向を有する第１チャンネル領域を含み、第１画素回路に電気的に接続される走査線とデータ線における信号に応じて、第１有機発光ダイオードを駆動するための少なくとも１つの第１ドライバトランジスタとを具備し、走査線の１つ及びデータ線の１つに電気的に接続される少なくとも１つの第１画素回路と、少なくとも１つの第２有機発光ダイオードと、第１チャンネル方向と異なる第２チャンネル方向を有する第２チャンネル領域を含み、第２画素回路に電気的に接続される走査線とデータ線における信号に応じて、第２有機発光ダイオードを駆動するための少なくとも１つの第２ドライバトランジスタとを具備し、走査線の１つ及びデータ線の１つに電気的に接続される少なくとも１つの第２画素回路と、を備える有機エレクトロルミネセンスディスプレイである。
【０００７】
本発明の１つ又は複数の実施形態において、前記第１チャンネル方向は、第２チャンネル方向と直交する。
【０００８】
本発明の１つ又は複数の実施形態において、前記第１チャンネル領域と第２チャンネル領域は、前記第１チャンネル方向と異なったレーザ走査方向を有するエキシマレーザアニーリングプロセスによって形成される。
【０００９】
本発明の１つ又は複数の実施形態において、前記第１チャンネル領域と第２チャンネル領域は、前記第１チャンネル方向と直交するレーザ走査方向を有するエキシマレーザアニーリングプロセスによって形成される。
【００１０】
本発明の一実施形態によれば、複数の走査線と、走査線と交錯して設けられる複数のデータ線と、少なくとも１つの第１有機発光ダイオードと、第１長手方向を有する第１チャンネル領域を含み、第１画素回路に電気的に接続される走査線とデータ線における信号に応じて、第１有機発光ダイオードを駆動するための少なくとも１つの第１ドライバトランジスタとを具備し、走査線の１つ及びデータ線の１つに電気的に接続される少なくとも１つの第１画素回路と、少なくとも１つの第２有機発光ダイオードと、第１長手方向と交差する第２長手方向を有する第２チャンネル領域を含み、第２画素回路に電気的に接続される走査線とデータ線における信号に応じて、第２有機発光ダイオードを駆動するための少なくとも１つの第２ドライバトランジスタとを具備し、走査線の１つ及びデータ線の１つに電気的に接続される少なくとも１つの第２画素回路と、を備える有機エレクトロルミネセンスディスプレイである。
【００１１】
本発明の１つ又は複数の実施形態において、前記第１ドライバトランジスタは、第１チャンネル領域で電気的に接続される第１ソースと第１ドレインを有し、第１長手方向が第１ソースと第１ドレインに跨り、前記第２ドライバトランジスタは、第２チャンネル領域で電気的に接続される第２ソースと第２ドレインを有し、第２長手方向が第２ソースと第２ドレインに跨る。
【００１２】
本発明の１つ又は複数の実施形態において、前記第１長手方向は、第２長手方向と直交する。
【００１３】
本発明の１つ又は複数の実施形態において、前記第１チャンネル領域と第２チャンネル領域は、前記第１長手方向と交差するレーザ走査方向を有するエキシマレーザアニーリングプロセスによって形成される。
【００１４】
本発明の１つ又は複数の実施形態において、前記第１チャンネル領域と第２チャンネル領域は、前記第１長手方向と直交するレーザ走査方向を有するエキシマレーザアニーリングプロセスによって形成される。
【００１５】
本発明の１つ又は複数の実施形態において、前記第１画素回路と第２画素回路とは、交互配列される。
【発明の効果】
【００１６】
以上の実施形態において、第１チャンネル領域と第２チャンネル領域には、依然として結晶格子の配列不均一の現象の可能性があるが、第１チャンネル領域と第２チャンネル領域とのチャンネル方向（言い換えると、長手方向）が異なるので、第１チャンネル領域と第２チャンネル領域に流す電流の変化も互いに異なっている。第１画素回路と第２画素回路が共に配列されているので、表示面全体に対して、第１画素回路と第２画素回路の電流の変化が周期的に又は群をなして出現し、波形ムラを引き起こすことはない。
【図面の簡単な説明】
【００１７】
【図１】本発明の一実施形態による有機エレクトロルミネセンスディスプレイを示す等価回路図である。
【図２】図１の有機エレクトロルミネセンスディスプレイの画素回路のレイアウトを示す図である。
【図３】図１の第１画素回路のレイアウトを示す図である。
【図４】図１の第２画素回路のレイアウトを示す図である。
【図５】本発明の一実施形態による第１画素回路と第２画素回路の配列を示す模式図である。
【図６】本発明の一実施形態による第１画素回路と第２画素回路の配列を示す模式図である。
【図７】本発明の一実施形態による第１画素回路と第２画素回路の配列を示す模式図である。
【発明を実施するための形態】
【００１８】
以下、図面で本発明の複数の実施形態を開示し、明らかに説明するために、数多くの実際の細部を下記叙述で合わせて説明する。しかしながら、理解すべきなのは、これらの実際の細部が、本発明を制限するためのものではない。つまり、本発明の実施形態の一部において、これらの実際の細部は、必須なものではない。また、図面を簡略化するために、ある従来慣用の構造及び素子は、図面において簡単で模式的に示される。
【００１９】
図１は、本発明の一実施形態による有機エレクトロルミネセンスディスプレイを示す等価回路図である。図２は、図１の有機エレクトロルミネセンスディスプレイの画素回路のレイアウトを示す図である。図１、図２に示すように、本実施形態の有機エレクトロルミネセンスディスプレイは、複数の走査線Ｓと、複数のデータ線Ｄと、少なくとも１つの電源線ＶＤＤと、少なくとも１つの第１画素回路ＰＸ１と、少なくとも１つの第２画素回路ＰＸ２と、を備える。走査線Ｓは、データ線Ｄと交錯して設けられる。第１画素回路ＰＸ１は、走査線Ｓの１つ及びデータ線Ｄの１つに電気的に接続され、更に、電源線ＶＤＤに電気的に接続される。上記の第１画素回路ＰＸ１は、第１有機発光ダイオードＯＬＥＤ１及び第１ドライバトランジスタＭＤ１を含む。第１画素回路ＰＸ１に電気的に接続される走査線Ｓが走査信号を提供すると共に、第１画素回路ＰＸ１に電気的に接続されるデータ線Ｄがデータ信号を提供する場合、第１ドライバトランジスタＭＤ１は、電源線ＶＤＤの電圧を第１有機発光ダイオードＯＬＥＤ１に供給する。第２画素回路ＰＸ２は、走査線Ｓの１つ及びデータ線Ｄの１つに電気的に接続され、更に、電源線ＶＤＤに電気的に接続される。上記の第２画素回路ＰＸ２は、少なくとも１つの第２有機発光ダイオードＯＬＥＤ２及び少なくとも１つの第２ドライバトランジスタＭＤ２を含む。第２画素回路ＰＸ２に電気的に接続される走査線Ｓが走査信号を提供すると共に、第２画素回路ＰＸ２に電気的に接続されるデータ線Ｄがデータ信号を提供する場合、第２ドライバトランジスタＭＤ２は、電源線ＶＤＤの電圧を第２有機発光ダイオードＯＬＥＤ２に供給する。
【００２０】
図３は、図１の第１画素回路ＰＸ１のレイアウトを示す図である。図４は、図１の第２画素回路ＰＸ２のレイアウトを示す図である。図３、図４に示すように、第１ドライバトランジスタＭＤ１は、第１チャンネル方向Ｌ１を有する第１チャンネル領域Ｃ１を含む。第２ドライバトランジスタＭＤ２は、第２チャンネル方向Ｌ２を有する第２チャンネル領域Ｃ２含む。第１チャンネル方向Ｌ１は、第２チャンネル方向Ｌ２と交差する。言い換えると、第１チャンネル方向Ｌ１は、第２チャンネル方向Ｌ２と異なるか又は非平行である。
【００２１】
本実施形態において、第１チャンネル領域Ｃ１と第２チャンネル領域Ｃ２には、依然として結晶格子の配列不均一の現象の可能性があるが、第１チャンネル領域Ｃ１と第２チャンネル領域Ｃ２のチャンネル方向が異なるので、第１チャンネル領域Ｃ１と第２チャンネル領域Ｃ２を流す電流の変化も互いに異なっている。本実施形態において、第１画素回路ＰＸ１と第２画素回路ＰＸ２が共に配列されているので、表示面全体に対して、第１画素回路ＰＸ１と第２画素回路ＰＸ２の電流の変化が周期的に又は群をなして出現し、波形ムラを引き起こすことはない。
【００２２】
本実施形態において、波形ムラが発生しないので、第１画素回路ＰＸ１と第２画素回路ＰＸ２は、何れも２Ｔ１Ｃ（２個のトランジスタと１個のコンデンサ）の基本的な構造を採用してもよい。図１を参照されたい。第１画素回路ＰＸ１を例として、第１画素回路ＰＸ１は、第１有機発光ダイオードＯＬＥＤ１及び第１ドライバトランジスタＭＤ１以外、更に、第１走査トランジスタＭＳ１と第１コンデンサＣｓｔ１を含む。第１走査トランジスタＭＳ１は、ゲートが走査線Ｓに電気的に接続され、ソースがデータ線Ｄに電気的に接続され、ドレインが第１ドライバトランジスタＭＤ１のゲートと第１コンデンサＣｓｔ１の一方の電極に電気的に接続される。第１ドライバトランジスタＭＤ１は、ソースが電源線ＶＤＤと第１コンデンサＣｓｔ１の他方の電極に電気的に接続され、ドレインが第１有機発光ダイオードＯＬＥＤ１の一方の電極に電気的に接続される。第１有機発光ダイオードＯＬＥＤ１の他方の電極は、電気的に接地し、又は負電源ＶＳＳに電気的に接続される。作動する場合、走査線Ｓにおける走査信号が第１走査トランジスタＭＳ１をオンにして、データ線Ｄにおけるデータ信号が第１走査トランジスタＭＳ１を介して第１ドライバトランジスタＭＤ１をオンにすることにより、電流が電源線ＶＤＤから第１ドライバトランジスタＭＤ１を介して第１有機発光ダイオードＯＬＥＤ１に供給され、第１有機発光ダイオードＯＬＥＤ１が点灯される（駆動される）。
【００２３】
同様に、第２画素回路ＰＸ２は、第２有機発光ダイオードＯＬＥＤ２と第２ドライバトランジスタＭＤ２以外、更に、第２走査トランジスタＭＳ２と第２コンデンサＣｓｔ２を含む。第２走査トランジスタＭＳ２は、ゲートが走査線Ｓに電気的に接続され、ソースがデータ線Ｄに電気的に接続され、ドレインが第２ドライバトランジスタＭＤ２のゲートと第２コンデンサＣｓｔ２の一方の電極に電気的に接続される。第２ドライバトランジスタＭＤ２は、ソースが電源線ＶＤＤと第２コンデンサＣｓｔ２の他方の電極に電気的に接続され、ドレインが第２有機発光ダイオードＯＬＥＤ２の一方の電極に電気的に接続される。第２有機発光ダイオードＯＬＥＤ２の他方の電極は、電気的に接地し、又は負電源ＶＳＳに電気的に接続される。作動する場合、走査線Ｓにおける走査信号が第２走査トランジスタＭＳ２をオンにして、データ線Ｄにおけるデータ信号が第２走査トランジスタＭＳ２を介して第２ドライバトランジスタＭＤ２をオンにすることにより、電流が電源線ＶＤＤから第２ドライバトランジスタＭＤ２を介して第２有機発光ダイオードＯＬＥＤ２に供給され、第２有機発光ダイオードＯＬＥＤ２が点灯される（駆動される）。
【００２４】
理解すべきなのは、図１〜図４においては、第１画素回路ＰＸ１と第２画素回路ＰＸ２が２Ｔ１Ｃ（２個のトランジスタと１個のコンデンサ）の基本的な構造として示されているが、それは本発明を限定するためのものではなく、実際には、本発明では、例えば、４Ｔ１Ｃ（４個のトランジスタと１個のコンデンサ）、４Ｔ２Ｃ（４個のトランジスタと２個のコンデンサ）、５Ｔ１Ｃ（５個のトランジスタと１個のコンデンサ）、６Ｔ１Ｃ（６個のトランジスタと１個のコンデンサ）、６Ｔ２Ｃ（６個のトランジスタと２個のコンデンサ）等の他の画素回路構造を採用してもよい。当業者は、実際の需要に応じて、第１画素回路ＰＸ１と第２画素回路ＰＸ２の構造を柔軟に選択すべきである。
【００２５】
図３に示すように、上記の第１ドライバトランジスタＭＤ１は、第１ソースＳＲ１と第１ドレインＤＲ１を有し、第１チャンネル領域Ｃ１が第１ソースＳＲ１と第１ドレインＤＲ１に電気的に接続され、第１チャンネル方向Ｌ１が第１ソースＳＲ１と第１ドレインＤＲ１に跨る。同様に、図４に示すように、上記の第２ドライバトランジスタＭＤ２は、第２ソースＳＲ２と第２ドレインＤＲ２を有し、第２チャンネル領域Ｃ２が第２ソースＳＲ２と第２ドレインＤＲ２に電気的に接続され、第２チャンネル方向Ｌ２が第２ソースＳＲ２と第２ドレインＤＲ２に跨る。
【００２６】
本実施形態において、上記の第１チャンネル方向Ｌ１は、第１チャンネル領域Ｃ１の長手方向（第１長手方向）と同じであってよいと共に、上記の第２チャンネル方向Ｌ２は、第２チャンネル領域Ｃ２の長手方向（第２長手方向）と同じであってよいが、本発明を限定するためのものではない。当業者は、実際の需要に応じて、第１チャンネル領域Ｃ１と第２チャンネル領域Ｃ２を柔軟に設計すべきである。
【００２７】
理解すべきなのは、上記の「長手方向」とは、「物体の三次元サイズにおける最大長の方向である。」を意味し、以上の解釈が本文及び後の特許請求の範囲にも適用されるので、更に繰り返して説明しない。
【００２８】
図３〜図４に示すように、上記の第１チャンネル方向Ｌ１は、第２チャンネル方向Ｌ２と直交するか又は垂直となってもよいが、これは例示だけのものであり、本発明を限定するためのものではない。当業者は、実際の需要に応じて、第１チャンネル方向Ｌ１と第２チャンネル方向Ｌ２との関係を柔軟に調整すべきである。
【００２９】
より具体的には、本実施形態では、第１チャンネル領域Ｃ１と第２チャンネル領域Ｃ２として、エキシマレーザアニーリングプロセスによって低温多結晶シリコン膜を形成する。上記のエキシマレーザアニーリングプロセスは、レーザ走査方向ＥＬＳを有する。第１チャンネル方向Ｌ１と第２チャンネル方向Ｌ２の少なくとも１つがレーザ走査方向ＥＬＳと交差する。言い換えると、第１チャンネル方向Ｌ１と第２チャンネル方向Ｌ２の少なくとも１つは、レーザ走査方向ＥＬＳと異なるか又は非平行である。
【００３０】
エキシマレーザアニーリングプロセスによって形成された低温多結晶シリコン膜には、結晶格子の配列不均一の現象の可能性がある。一般的には、エキシマレーザアニーリングプロセスによって形成された低温多結晶シリコン膜の結晶格子は、レーザ走査方向ＥＬＳに沿って不均一に配列される。このため、電流がレーザ走査方向ＥＬＳに沿って低温多結晶シリコン膜を通過すると、変化が生じるが、電流がレーザ走査方向ＥＬＳと異なった方向に沿って低温多結晶シリコン膜を通過すると、別の変化が生じる。本実施形態において、第１チャンネル方向Ｌ１とレーザ走査方向ＥＬＳは、異なるが（言い換えると、交差するか又は非平行である）、第２チャンネル方向Ｌ２とレーザ走査方向ＥＬＳは、同じである（言い換えると、平行である）。このため、電流が第１チャンネル領域Ｃ１と第２チャンネル領域Ｃ２を通過すると、異なった変化が生じる。第１画素回路ＰＸ１と第２画素回路ＰＸ２が共に配列されているので、この２つの異なった変化は、周期的に又は群をなして出現することがなく、波形ムラも発生しない。
【００３１】
上記の第１チャンネル方向Ｌ１と第２チャンネル方向Ｌ２の少なくとも１つは、レーザ走査方向ＥＬＳと直交するか又は垂直となってもよい。本実施形態において、上記の第１チャンネル方向Ｌ１は、レーザ走査方向ＥＬＳと直交するか又は垂直となってもよい。理解すべきなのは、以上に挙げられた第１チャンネル方向Ｌ１、第２チャンネル方向Ｌ２とレーザ走査方向ＥＬＳとの関係は、例示だけのものであり、本発明を限定するためのものではない。当業者は、実際の需要に応じて、第１チャンネル方向Ｌ１、第２チャンネル方向Ｌ２とレーザ走査方向ＥＬＳとの関係を柔軟に調整すべきである。
【００３２】
図５〜図７は、本発明の複数の実施形態による第１画素回路ＰＸ１と第２画素回路ＰＸ２の配列を示す模式図である。図５〜図７において、メッシュポイントのある領域は、第１画素回路ＰＸ１の位置する領域を表し、メッシュポイントのない領域は、第２画素回路ＰＸ２の位置する領域を表す。
【００３３】
理解すべきなのは、図５〜図７に示すように、上記の第１画素回路ＰＸ１と第２画素回路ＰＸ２とは、交互配列されてもよい。以上に記載の「交互配列」とは、「相互に混在して配列される」を意味する。例として、図５に示すように、第１画素回路ＰＸ１と第２画素回路ＰＸ２は、それぞれ交互するように相互に混在して配列されてもよい。図６に示すように、第１画素回路ＰＸ１と第２画素回路ＰＸ２は、それぞれ同列の２つを１組として、相互に混在して配列されてもよい。図７に示すように、第１画素回路ＰＸ１と第２画素回路ＰＸ２は、それぞれ２×２のマトリックスを１組として、相互に混在して配列されてもよい。
【００３４】
理解すべきなのは、以上の図５〜図７に示す第１画素回路ＰＸ１と第２画素回路ＰＸ２の配列方法は、ただ例示だけのものであり、本発明を限定するためのものではない。当業者は、実際の需要に応じて、第１画素回路ＰＸ１と第２画素回路ＰＸ２の配列方法を柔軟に調整すべきである。
【００３５】
本発明を実施形態で前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とするものである。
【符号の説明】
【００３６】
Ｓ  走査線
Ｄ  データ線
ＶＤＤ  電源線
ＶＳＳ  グランド又は負電源
ＰＸ１  第１画素回路
ＭＳ１  第１走査トランジスタ
ＭＤ１  第１ドライバトランジスタ
ＳＲ１  第１ソース
Ｃ１  第１チャンネル領域
ＤＲ１  第１ドレイン
Ｃｓｔ１  第１コンデンサ
ＯＬＥＤ１  第１有機発光ダイオード
ＰＸ２  第２画素回路
ＭＳ２  第２走査トランジスタ
ＭＤ２  第２ドライバトランジスタ
ＳＲ２  第２ソース
Ｃ２  第２チャンネル領域
ＤＲ２  第２ドレイン
Ｃｓｔ２  第２コンデンサ
ＯＬＥＤ２  第２有機発光ダイオード
Ｌ１  第１チャンネル方向
Ｌ２  第２チャンネル方向
ＥＬＳ  レーザ走査方向
【図１】
2016040596.tif 000003
【図２】
2016040596.tif 000004
【図３】
2016040596.tif 000005
【図４】
2016040596.tif 000006
【図５】
2016040596.tif 000007
【図６】
2016040596.tif 000008
【図７】
2016040596.tif 000009
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
複数の走査線と、
前記複数の走査線と交錯して設けられる複数のデータ線と、
少なくとも２×１の複数の第１画素回路アレイを形成し、それぞれ、少なくとも１つの第１有機発光ダイオードと、第１チャンネル方向を有する第１チャンネル領域を含み、少なくとも１つの第１画素回路に電気的に接続される前記走査線と前記データ線における信号に応じて、前記少なくとも１つの第１有機発光ダイオードを駆動するための少なくとも１つの第１ドライバトランジスタとを具備し、前記複数の走査線の１つ及び前記複数のデータ線の１つに電気的に接続される、複数の第１画素回路と、
少なくとも２×１の複数の第２画素回路アレイを形成し、それぞれ、少なくとも１つの第２有機発光ダイオードと、前記第１チャンネル方向と異なる第２チャンネル方向を有する第２チャンネル領域を含み、少なくとも１つの第２画素回路に電気的に接続される前記走査線と前記データ線における信号に応じて、前記少なくとも１つの第２有機発光ダイオードを駆動するための少なくとも１つの第２ドライバトランジスタとを具備し、前記複数の走査線の１つ及び前記複数のデータ線の１つに電気的に接続される、複数の第２画素回路と、
を備え、
前記少なくとも２×１の複数の第１画素回路アレイと前記少なくとも２×１の複数の第２画素回路アレイは、前記第１チャンネル方向及び前記第２チャンネル方向において反復パターンで交互配列されることを特徴とする有機エレクトロルミネセンスディスプレイ。
【請求項２】
前記第１チャンネル方向は、前記第２チャンネル方向と直交する請求項１に記載の有機エレクトロルミネセンスディスプレイ。
【請求項３】
複数の走査線と、
前記複数の走査線と交錯して設けられる複数のデータ線と、
少なくとも２×１の複数の第１画素回路アレイを形成し、それぞれ、少なくとも１つの第１有機発光ダイオードと、第１長手方向を有する第１チャンネル領域を含み、少なくとも１つの第１画素回路に電気的に接続される前記走査線と前記データ線における信号に応じて、前記少なくとも１つの第１有機発光ダイオードを駆動するための少なくとも１つの第１ドライバトランジスタとを具備し、前記複数の走査線の１つ及び前記複数のデータ線の１つに電気的に接続される、複数の第１画素回路と、
少なくとも２×１の複数の第２画素回路アレイを形成し、それぞれ、少なくとも１つの第２有機発光ダイオードと、前記第１長手方向と交差する第２長手方向を有する第２チャンネル領域を含み、少なくとも１つの第２画素回路に電気的に接続される前記走査線と前記データ線における信号に応じて、前記少なくとも１つの第２有機発光ダイオードを駆動するための少なくとも１つの第２ドライバトランジスタとを具備し、前記複数の走査線の１つ及び前記複数のデータ線の１つに電気的に接続される、複数の第２画素回路と、
を備え、
前記少なくとも２×１の複数の第１画素回路アレイと前記少なくとも２×１の複数の第２画素回路アレイは、前記第１チャンネル方向及び前記第２チャンネル方向において反復パターンで交互配列されることを特徴とする有機エレクトロルミネセンスディスプレイ。
【請求項４】
前記少なくとも１つの第１ドライバトランジスタは、前記第１チャンネル領域で電気的に接続される第１ソースと第１ドレインを有し、前記第１長手方向が前記第１ソースと前記第１ドレインに跨り、
前記少なくとも１つの第２ドライバトランジスタは、前記第２チャンネル領域で電気的に接続される第２ソースと第２ドレインを有し、前記第２長手方向が前記第２ソースと前記第２ドレインに跨る請求項３に記載の有機エレクトロルミネセンスディスプレイ。
【請求項５】
前記第１長手方向は、前記第２長手方向と直交する請求項３又は４に記載の有機エレクトロルミネセンスディスプレイ。